【事件の表示】
　平成　７年特許願第５０６９１１号「ディスククランプ及びスペーサ」拒絶査定に対する審判事件〔平成　７年　２月２３日国際公開、ＷＯ９５／０５６６０、平成　９年　４月２２日国内公表、特表平　９−５０４１３３、請求項の数（８）〕について、次のとおり審決する。
【結　論】
　原査定を取り消す。
　本願の発明は、特許すべきものとする。
【理　由】
１．手続の経緯・本願の請求項１ないし８に係る発明
　本願は、平成５年８月１３日を国際出願日とする出願であって、その請求項１ないし８に係る発明は、平成１０年１２月１４日付け及び平成１３年１０月１８日付け手続補正によって補正された明細書及び図面の記載からみて、特許請求の範囲の請求項１ないし８に記載された次のとおりのものと認める（以下、本願発明１ないし８という。）。
　
「【請求項１】　ディスク（２０、２２）の上下面に当接する一つの環状のスペーサ部（３０）と、該環状のスペーサ部から一体に垂直方向に延伸した２つのフランジ部（４０、４２）と、前記フランジ部に当接している前記ディスクの内径に所定の半径方向荷重を与える手段と、ディスクスペーサの内径部分に形成され、前記フランジ部の上表面より軸方向下方でディスククランプと接する面を有するリップ部（２４）とを有することを特徴とする断面Ｔ字形状のディスクスペーサ（１０）。
　【請求項２】　前記ディスクにスプリング力を作用させる前記フランジ部によって前記半径方向荷重が与えられることを特徴とする請求項１記載の断面Ｔ字形状のディスクスペーサ（１０）。
　【請求項３】　前記手段が、更に、ディスクスペーサ内の環状部分内の割れ目（３２）を含んで構成されたことを特徴とする請求項２記載の断面Ｔ字形状のディスクスペーサ（１０）。
　【請求項４】　前記ディスククランプと接する面が、ディスクスペーサの軸方向及び半径方向の両方向に関して傾斜することによって、前記ディスククランプと接する面に作用される力をディスクスペーサの軸方向力及び半径方向力の両方に変換するように調整されることを特徴とする請求項３記載の断面Ｔ字形状のディスクスペーサ（１０）。
　【請求項５】　ディスクスペーサの前記フランジ部と前記スペーサ部との交差部分に、半径方向荷重下での前記フランジ部の半径方向の変形能を増大させるノッチ（３４、３６）を更に含んで構成されることを特徴とする請求項４記載の断面Ｔ字形状のディスクスペーサ（１０）。
　【請求項６】　ディスク（２０、２２）の上下面に当接する一つの環状のスペーサ部（３０）と、垂直方向に延伸した２つの面に当接してディスクの内径に所定の半径方向荷重を与える環状フランジ部（４０、４２）とを有する断面Ｔ字形状のディスクスペーサ（１０）を備え、
　スペーサ部からのそれぞれのフランジ部高さが、それぞれのディスクの厚さより小さく、
　スピンドルフランジ（２８）を有するスピンドル（１２）であって、前記２つのディスクのうちの１つが前記スピンドルフランジに接すると共に、ディスクスペーサのスペーサ部とスピンドルフランジ（２８）との間に挟み込まれるように断面Ｔ字形状のディスクスペーサが前記スピンドルに取付けられるようにしたスピンドルと、
　前記スピンドルに取付けられて、前記ディスクスペーサの接触面（２４）に接するディスククランプ（１４）と、
　を含んで構成されたことを特徴とするディスク駆動スピンドルアッセンブリ。
　【請求項７】　各フランジ部とディスクとの間に制御された接合を提供して、制御されたディスクの反り返りプロフィールを与えるそれぞれのフランジ部（４０、４２）に半径方向に間隔を空けて形成された少なくとも３つのバンプ（６０）を、更に含んで構成されたことを特徴とする請求項６記載のディスク駆動スピンドルアッセンブリ。
　【請求項８】　前記接触面（２４）が、ディスククランプによって作用される下向きの力を半径方向力及び軸方向力に変換する傾斜した表面を含んで構成され、
　前記半径方向力は前記ディスクの内周リム（４４、４６）への前記スペーサの半径方向力を増大させるように作用する半径方向力であり、前記軸方向力は前記スピンドルフランジ（２８）上に断面Ｔ字形状のディスクスペーサ（１０）を保持するように作用する軸方向力であることを特徴とする請求項７に記載のディスク駆動スピンドルアッセンブリ。」
　
２．引用例
　原審の拒絶の理由に引用された刊行物１ないし３には、以下の記載が認められる。
（１）「Disk Pack Assembly Design,」IBM Technical Disclosure Bulletin, Vol.32, No.6A, p.129 Nov. 1989.（Armonk, NY, US）
「The figure shows that a split aluminum ring 1 has grooves machined in it at the proper spacing for the disks. Two options are a “v” groove 2 or a square cut groove 3. Split aluminum ring 1 is squeezed to allow it to be slipped into the inner diameter of the disks. When released, ring 1 expands to locate and hold the disks in position 4. Aluminum ring 1 is then placed on a hub 5. Two possible methods of accomplishing this are a shrink fit or a bond.」
　
（２）特開平４−１１９５２６号公報
「（１）複数のディスク装着部を備えたディスク保持手段にディスクを受け渡したり、受け取ったりするためのものにおいて、複数枚のディスクを同時にチャックするディスクチャック手段を有し、該ディスクチャック手段を、前記各ディスクの位置決め部を所定のピッチ間隔で形設した上下、左右各一対からなるチャック部片と、これら各対のチャック部片のうち、一方の対のチャック部片をチャック状態とチャック解除状態との間に変位させる第１のチャック駆動部材と、他方の対のチャック部片をチャック状態とチャック解除状態との間に変位させる第２のチャック駆動部材と、この他方の対のチャック部材を、それに設けた位置決め部の１ピッチ間隔分だけ前後動させるシフト部材とから構成したことを特徴とするディスク移動装置。」（特許請求の範囲）
　
（３）実願昭５１−１１７３４６号（実開昭５３−０３５０１２号）のマイクロフィルム
「磁気ディスク手段
１０
　
３．対比・判断
　本願の請求項１ないし８に係る発明と、刊行物１ないし３に記載の発明とを対比すると、刊行物１ないし３記載の発明のいずれにも、本願の請求項１に係る発明の「ディスクスペーサの内径部分に形成され、前記フランジ部の上表面より軸方向下方でディスククランプと接する面を有するリップ部（２４）とを有することを特徴とする断面Ｔ字形状」という構成及び、本願の請求項６に係る発明の「２つのディスクのうちの１つが前記スピンドルフランジに接すると共に、ディスクスペーサのスペーサ部とスピンドルフランジ（２８）との間に挟み込まれるように断面Ｔ字形状のディスクスペーサ」、「ディスクスペーサの接触面（２４）に接するディスククランプ（１４）」の記載がなく、本願の請求項１ないし８に係る発明は、刊行物１ないし３記載の発明から容易に想到することはできないものと認められない。
　また、本願の請求項１ないし８に係る発明は、刊行物１ないし３記載の発明を寄せ集めて得られる発明の奏する作用効果に比して、「本発明のディスククランプは、収容部内の一番上のディスクの上表面に対して垂直方向或いは軸方向加重を作用させる必要がない」という明細書に記載された作用効果を奏するものと認められる。
　
４．むすび
　したがって、本願の特許請求の範囲の請求項１ないし８に係る発明は、刊行物１ないし３記載の発明に基づいて当業者が容易に発明をすることができたものと認められない。
　また、他に本願を拒絶すべき理由を発見しない。
　よって、結論のとおり審決する。